(57)【要約】      （修正有）【課題】加熱圧着時におけるフレキシブル配線基板の接続端子列部における端子アレイ方向の伸びを抑え、モバイル機器のファインピッチ接続端子列との導通接合においても導通接続不良を発生させないフレキシブル配線基板の熱圧着装置を、提供する。【解決手段】フレキシブル配線基板４の接続端子４１１が並設された接続端子列部に直に圧接させる押圧ヘッド７の先端面７１には、その長さ方向Ｘh に対して補角の関係にある互いに異なる角度θa 、θb で斜めに交差する２種類の直線微細溝７１１ａ、７１１ｂが、それぞれ複数個づつ、同一ピッチｐg で平行に配設されており、これら微細溝７１１ａ、７１１ｂが加熱押圧される接続端子列部の熱膨張による伸びに対する抵抗として作用し、接続端子列部の長さ方向Ｘt への伸びとこれに基づく各接続端子４１１の位置ずれが抑制され、導通接続不良の発生が防止される。【選択図】図３
2007142071.tif 000002
【特許請求の範囲】
【請求項１】
複数の配線が形成されるとともに各配線の第１接続端子が所定のピッチで並設されてなる回路基板に、複数の配線が形成されるとともに各配線の第２接続端子が前記ピッチと同一ピッチで並設されて第２接続端子列が形成されたフレキシブル配線基板を、熱硬化性のバインダ樹脂中に導電性粒子が分散混合されてなる異方性導電接着材を介して加熱しつつ加圧し、互いに対応する前記第１接続端子と前記第２接続端子間に前記導電性粒子を挟持させて両接続端子を導通接続するフレキシブル配線基板の熱圧着装置であって、
前記フレキシブル配線基板の表面に前記２接続端子列が形成された接続端子列部をその裏面に先端面を直に当接させて加熱しつつ加圧する押圧ヘッドを備え、
前記押圧ヘッドの先端面は前記フレキシブル配線基板の接続端子列部にその端子並設方向全体にわたり当接可能な長さを有し、
前記先端面には長さ方向に対して少なくとも一部が斜めに交差する複数個の微細溝が形成されていることを特徴とするフレキシブル配線基板の熱圧着装置。
【請求項２】
前記微細溝は前記長さ方向に対して異なる角度で斜めに交差する２種類の直線溝からなり、これら２種類の直線溝は互いに交差していることを特徴とする請求項１に記載のフレキシブル配線基板の熱圧着装置。
【請求項３】
前記２種類の直線溝はそれぞれ同一ピッチで平行に形成され、前記長さ方向と交差する各角度は互いに補角の関係にあり、一方の種類の直線溝の前記長さ方向と交差する角度をθとした場合、
４５°≦θ≦６０°
であることを特徴とする請求項２に記載のフレキシブル配線基板の熱圧着装置。
【請求項４】
前記微細溝の幅は前記第２接続端子の幅の１／２以下であることを特徴とする請求項１乃至請求項３のうちの何れかの請求項に記載のフレキシブル配線基板の熱圧着装置。
【請求項５】
前記先端面には、前記異方性導電接着材に対して離型性を有する材料からなるオーバコート層が被着されていることを特徴とする請求項１乃至請求項４のうちの何れかの請求項に記載のフレキシブル配線基板の熱圧着装置。
【請求項６】
前記第１接続端子が配設された回路基板は、一対の基板間に液晶が挟持されてなる液晶表示パネルの一方の基板であることを特徴とする請求項１乃至請求項５のうちの何れかの請求項に記載のフレキシブル配線基板の熱圧着装置。
【発明の詳細な説明】
【技術分野】
【０００１】
本発明は、フレキシブル配線基板を他の回路基板に導通接合するための熱圧着装置に関する。
【背景技術】
【０００２】
液晶表示パネルや有機エレクトロルミネッセンス表示パネル等の画像表示パネルを用いる画像表示モジュールは、適用機器の小型薄型化に有利であるという利点から、近年、携帯電話機やＰＤＡ（Personal Digital Assistance）等のモバイル機器のディスプレイとして多用されている。これらモバイル機器のディスプレイとして用いられる画像表示モジュールは、画面サイズが小さく且つ高精細であるため、駆動信号供給用配線の接続端子の配設ピッチも高度にファイン化している。
【０００３】
一方、上述したようなモバイル機器の画像表示モジュールと外部駆動制御回路基板とを電気接続する配線部材としては、薄型化に有利なフレキシブル配線基板が多用されている。このフレキシブル配線基板と画像表示モジュールとのファインピッチ化した接続端子同士を作業性良く導通接合する接合部材としては、異方性導電接着材が好適に用いられている。
【０００４】
異方性導電接着材は、例えばエポキシ樹脂等の熱硬化性バインダ樹脂中に平均粒径が５μm程度の導電性粒子を分散混合させた材料をフィルム状に成形したものである。導通接合工程においては、画像表示モジュールの接続端子列部に前記異方性導電接着材を介してフレキシブル配線基板の接続端子列部を位置合わせを行いつつ載置し、フレキシブル配線基板の接続端子列部に所定の温度に加熱した熱圧着ヘッドを直接又は特許文献１に示されるように異方性導電接着材の付着を防止するためのシート等を介して間接に当接させて加圧し、両接続端子間に導電性粒子を挟持した状態で熱硬化性バインダ樹脂を硬化させて両接続端子列部を固着する。
【０００５】
【特許文献１】特開平９−１６２５４４号公報
【発明の開示】
【発明が解決しようとする課題】
【０００６】
上述した導通接合工程においては、フレキシブル配線基板の接続端子列部が加熱されて膨張し接続端子並設方向（以下、端子アレイ方向という）への伸びが発生するため、対応する接続端子同士の位置にずれが生じる。接続端子列がファインピッチ化したモバイル機器の画像表示モジュールとフレキシブル配線基板との導通接合においては、フレキシブル配線基板の熱膨張による接続端子の位置ずれが導通接続不良をより引き起こし易い。
【０００７】
本発明の目的は、加熱圧着接合時におけるフレキシブル配線基板の接続端子列部における端子アレイ方向の伸びを抑え、モバイル機器のファインピッチ接続端子列との導通接合においても導通接続不良を発生させないフレキシブル配線基板の熱圧着装置を、提供することである。
【課題を解決するための手段】
【０００８】
本発明の熱圧着装置は、複数の配線が形成されるとともに各配線の第１接続端子が所定のピッチで並設されてなる回路基板に、複数の配線が形成されるとともに各配線の第２接続端子が前記ピッチと同一ピッチで並設されて第２接続端子列が形成されたフレキシブル配線基板を、熱硬化性のバインダ樹脂中に導電性粒子が分散混合されてなる異方性導電接着材を介して加熱しつつ加圧し、互いに対応する前記第１接続端子と前記第２接続端子間に前記導電性粒子を挟持させて両接続端子を導通接続するフレキシブル配線基板の熱圧着装置であって、前記フレキシブル配線基板の表面に前記２接続端子列が形成された接続端子列部をその裏面に先端面を直に当接させて加熱しつつ加圧する押圧ヘッドを備え、前記押圧ヘッドの先端面は前記フレキシブル配線基板の接続端子列部にその端子並設方向全体にわたり当接可能な長さを有し、前記先端面には長さ方向に対して少なくとも一部が斜めに交差する複数個の微細溝が形成されていることを特徴とするものである。
【発明の効果】
【０００９】
本発明のフレキシブル配線基板の熱圧着装置によれば、フレキシブル配線基板の接続端子列部に直に当接させる押圧ヘッドの先端面に接続端子列の端子アレイ方向に沿わせる長さ方向に対して斜めに交差する微細溝を複数個形成したから、各微細溝が接続端子列部の加熱による端子アレイ方向に沿った伸びに対する抵抗として作用する。その結果、フレキシブル配線基板の接続端子列部における導通不良の原因となる端子アレイ方向に沿った伸びが顕著に抑制され、異方性導電接着材を介して熱圧着により導通接合されるフレキシブル配線基板と回路基板との対応する接続端子同士がファインピッチ化されていても所期の配置で正確に導通接続される。
【００１０】
本発明のフレキシブル配線基板の熱圧着装置においては、前記微細溝が前記長さ方向に対して異なる角度で斜めに交差する２種類の直線溝からなり、これら２種類の直線溝が互いに交差している構成とすることが好ましく、そのうちでも、前記２種類の直線溝がそれぞれ同一ピッチで平行に形成され、前記長さ方向と交差する各角度が互いに補角の関係にあり、一方の種類の直線溝の前記長さ方向と交差する角度をθとした場合に、４５°≦θ≦６０°となる構成とすることがより好ましく、これにより、フレキシブル配線基板の端子アレイ方向に沿った伸びがより一層顕著に抑制される。
【００１１】
また、本発明のフレキシブル配線基板の熱圧着装置においては、前記微細溝の幅を前記第２接続端子の幅の１／２以下とすることが好ましく、これにより、接続端子同士の導通接続における信頼性が充分に確保される。
【００１２】
さらに、本発明のフレキシブル配線基板の熱圧着装置においては、前記先端面に異方性導電接着材に対して離型性を有する材料からなるオーバコート層を被着することが好ましく、これにより、加熱されて粘着化した異方性導電接着材が圧接面に固着する不具合が確実に回避され、熱圧着工程の作業性が向上する。
【００１３】
加えて、本発明は、前記第１接続端子が配設された回路基板が一対の基板間に液晶が挟持されてなる液晶表示パネルの一方の基板である場合に好適に適用され、その結果、液晶表示パネルのファインピッチ化された接続端子に対しても、フレキシブル配線基板の対応する接続端子を異方性導電接着材を介した熱圧着接合により高い精度で正確に導通接続することができる。
【発明を実施するための最良の形態】
【００１４】
図１は本発明の一実施形態としての熱圧着装置により製造された液晶表示モジュールを示す斜視図で、図２の（ａ）はその熱圧着装置とそれによる製造工程を示す側面図で、（ｂ）は熱圧着部を示す平面図、図３の（ａ）は本実施形態の熱圧着装置における押圧ヘッド先端面を示した平面図で、（ｂ）はその押圧ヘッドによる熱圧着状態を示す模式的断面図である。
【００１５】
本実施形態の熱圧着装置により製造される液晶表示モジュールにおける液晶表示パネル１は、図１に示されるように、電極（不図示）が形成された一対の矩形をなすガラス基板１１、１２を、それぞれの電極形成面を対向させて枠状シール材（不図示）により所定の間隙を保って接合し、枠状シール材で囲まれたガラス基板１１、１２の各対向面（以下、内面という）間に液晶（不図示）を封入して、構成されている。そして、ガラス基板１１、１２の各外面には、前偏光板１３と後偏光板（不図示）がそれぞれ貼着されている。なお、本実施形態の液晶表示モジュールは単純マトリクス型液晶表示モジュールであり、ガラス基板１１、１２の対向させた各内面にはそれぞれ、互いに平行な複数の走査電極（不図示）と、これらに直交する互いに平行な複数の表示電極（不図示）とが配設されている。
【００１６】
一対のガラス基板１１、１２のうちの片側のガラス基板１２には、一方の短手縁辺をガラス基板１１の対応する端面よりも外側へ突出させて、突出縁部１２１が形成されている。この突出縁部１２１の表面（内面の延長面）には、各電極に信号電圧を供給するリード配線１４ａ、１４ｂが配設されており、それらのうちの中央部に配設されているリード配線１４ａは各表示電極を延出させた表示リード配線である。また、両サイドに分割配設されているリード配線１４ｂは走査リード配線であり、対向側基板１１に配設されている走査電極の各端子電極（不図示）とこれらに対応する走査リード配線１４ｂとは、図示されていない基板間導通部材により導通接続されている。
【００１７】
突出縁部１２１の略中央部には、液晶駆動回路素子としてのドライバチップ２がＣＯＧ（Chip On Glass）方式により搭載されている。すなわち、ドライバチップ２の搭載エリア周縁にリード配線１４ａ、１４ｂの各接続端子（不図示）及びドライバチップ２に各種駆動制御信号を入力する入力配線１５の一方の各接続端子（不図示）が並設され、これら接続端子と対応するドライバチップの突起電極端子（不図示）とが、異方性導電接着材３により導通接続されている。
【００１８】
異方性導電接着材３は、熱硬化性バインダ樹脂としてのエポキシ樹脂中に平均粒径が約５μｍ程度の導電性粒子を分散混合してなり、搭載エリア上に異方性導電接着材３を介して載置されたドライバチップ２を熱圧着ヘッドにより所定温度に加熱ししつ加圧することにより、対応する接続端子と突起電極端子とが間に導電性粒子を挟持し導通接続された状態で熱硬化性樹脂が硬化し固着される。
【００１９】
突出縁部１２１の先端部には、図２（ｂ）に示されるように、入力配線１５の他方の各接続端子１５１が並設されている。これら接続端子１５１には、外部駆動制御回路基板（不図示）と液晶表示パネル１を配線接続するフレキシブル配線基板４における対応する配線４１の接続端子４１１が、異方性導電接着材５を介して導通接続されている。
【００２０】
この異方性導電接着材５も、図３（ｂ）に示されるように、前述した異方性導電接着材３と同様に、熱硬化性バインダ樹脂としてのエポキシ樹脂５１中に平均粒径が略５μｍ程度の導電性粒子５２を分散混合した材料を、細長いテープ状に成形したものである。この異方性導電接着材５の長さＬa は、接合作業性の面から、図２（ｂ）に示されるように、導通接続すべきフレキシブル配線基板４と液晶表示パネル１の各接続端子列の長さＬ1 、Ｌ2 よりも充分に大きい寸法に設定される。
【００２１】
ここで、上記異方性導電接着材５を使用しフレキシブル配線基板４を液晶表示パネル１に熱圧着接合するための熱圧着装置について、図２（ａ）、（ｂ）及び図３（ａ）、（ｂ）に基づき説明する。
【００２２】
本実施形態の熱圧着装置は、図２（ａ）に示されるように、大略、ワークとしての液晶表示パネル１が載置される作業台６と、これに対して昇降自在に設置された押圧ヘッド７からなる。作業台６の液晶表示パネル１が載置される載置面６１には、段差６１１が形成されており、この段差６１１はワークとしての液晶表示パネル１の位置決めを行う際の基準となる。
【００２３】
押圧ヘッド７は、押圧方向Ｐに向かって徐々に面積が小さくなる先細形状のブロック体をなし、これにはヒータ（不図示）が内蔵されている。熱圧着対象物のフレキシブル配線基板４における接続端子４１１が並設された接続端子列部の裏面（接続端子４１１が形成された面を表面とする）に直に当接させる先端面７１は、図３（ａ）に示されるように、細長い長方形をなし、その長さ方向Ｘh をフレキシブル配線基板４の端子アレイ方向Ｘt （図２（ｂ）参照）に平行に沿わせて圧接させる。この先端面７１の長さＬh は、前述した異方性導電接着材５の長さＬa よりも大きい寸法に設定される。
【００２４】
そして、先端面７１には、図３（ａ）に示されるように、複数の微細溝７１１が形成されている。本実施形態の微細溝７１１は、フレキシブル配線基板４の端子アレイ方向Ｘt に平行に沿わせる先端面７１の長さ方向Ｘh に対して角度θa 及びθb ＝１８０°−θa （角度θa の補角）で斜めに交差する２種類の直線溝７１１ａ、７１１ｂからなる。各直線溝７１１ａ、７１１ｂは、それぞれ、同一ピッチｐg で平行に配設されている。ここで、一方の直線溝７１１ａの交差角度θa は、
４５°≦θa≦６０°・・・（１）
の範囲に設定されることが好ましい。これにより、熱圧着の際のフレキシブル配線基板４の接続端子列部における伸びが全方位にわたり略均等に抑制される。
【００２５】
微細溝７１１ａ、７１１ｂの幅ｗg は、加熱押圧不足による接続端子間の導通不良を確実に回避するには、接続端子４１１の幅をｗt とすると、
ｗg≦ｗt／２・・・（２）
に設定されることが好ましい。しかし、加熱押圧されるフレキシブル基板４の接続端子列部の伸びを抑制するためには上記（２）式の範囲の内でも可及的に大きいことが望ましく、よって、
ｗt／３≦ｗg≦ｗt／２・・・（３）
に設定されることがより好ましい。本実施形態では、フレキシブル基板４の各接続端子４１１の幅ｗt が６０μｍ、微細溝７１１の幅ｗg が３０μｍに、それぞれ設定されている。
【００２６】
また、微細溝７１１ａ、７１１ｂの深さｄg は、反復使用により粗面化した圧接面７１を再研磨するための削り代分を確保するために、
ｄg≧０．１ｍｍ
に設定されることが好ましい。なお、互いに平行な微細溝７１１ａ及び７１１ｂ間の各ピッチｐg は、圧接面７１の幅をＷh とした場合、
ｐg≦Ｗh／２
に設定されることが好ましい。
【００２７】
図３（ｂ）に示されるように、押圧ヘッド７の圧接面７１には、オーバコート層８がコーティングされている。このオーバコート層８は、加熱されて粘着化した異方性導電接着材５の付着を防止するために設けられており、粘着樹脂材料に対する離型性を有したフッ素系コーティング材料（例えば、株式会社トシコ製のＳコーティングシリーズＵＮＡ−３１１（商品名））を用い、膜厚が２μｍで表面粗さが１μｍ程度の薄肉表面層に形成されている。
【００２８】
次に、上述のように構成された本実施形態の熱圧着装置により実施される熱圧着工程について、図４の作用を説明するための拡大模式的断面図も参照して説明する。
【００２９】
図２（ａ）に示すように、先ず、ドライバチップ２がＣＯＧ方式により搭載された液晶表示パネル１を、作業台６上に段差６１１を基準として位置合わせを行い載置する。
【００３０】
次に、図２（ｂ）に示されるように、異方性導電接着材５を、液晶表示パネル１の突出縁部１２１における入力配線１５の接続端子１５１が並設された先端部に、その長さ方向を接続端子１５１の端子アレイ方向Ｘt に平行に沿わせて載置する。
【００３１】
次いで、フレキシブル配線基板４における配線４１の一方の接続端子４１１が並設された端部を、各接続端子４１１と液晶表示パネル１側の対応する接続端子１５１とを対面させる配置で異方性導電接着材５上に位置合わせを行いつつ載置する。この位置合わせに際しては、フレキシブル配線基板４と液晶表示パネル１の対応する各両側部に配設されているそれぞれのアライメントマーク（不図示）をカメラ等で認識しつつ整合させることにより、正確な位置合わせを容易に実施することができる。なお、本実施形態では、作業台６に段差６１１を設けてあるから、その段差上位面６１２に異方性導電接着材５上にセットされたフレキシブル配線基板４の他端部（熱圧着接合する端部とは反対側端部）を載置することができ、これにより、位置合わせして載置されたフレキシブル配線基板４の位置ずれが防止される。
【００３２】
以上の状態下において、図２に示されるように、先端面７１を所定温度に加熱した押圧ヘッド７を下降させ、その先端面７１をフレキシブル配線基板４の接続端子列部の裏面に所定の圧力で所定時間圧接させる。これにより、図３（ｂ）に示されるように、フレキシブル配線基板４側の接続端子４１１と液晶表示パネル１側の対応する接続端子１５１間に複数個の導電性粒子５２が挟持されて両接続端子４１１、１５１が導通接続された状態が得られると共に、バインダ樹脂（エポキシ樹脂）５１が硬化温度以上に加熱されて硬化し、液晶表示パネル１の接続端子列部とフレキシブル配線基板４の接続端子列部を固着して前記導通接続状態が保持される。
【００３３】
この熱圧着過程においては、フレキシブル配線基板４が加熱されて熱膨張し平面方向の各方位に向けて伸びが発生する。しかし、本実施形態の押圧ヘッド７の圧接面７１には、本発明に係わる微細溝７１１が設けられているため、図５に示されるように、フレキシブル配線基板４の微細溝７１１に対応する部分は、先端面７１が当接していないから直には加熱も加圧もされてない。従って、この微細溝対応部分に両側の直に加熱されて膨張した部分が伸出し、撓みｒが生じる。このように、フレキシブル配線基板４の加熱膨張による伸び分が各微細溝７１１内への撓みｒとなって吸収され、押圧ヘッド７により加熱押圧される接続端子列部全体としての伸びが抑制される。また、各微細溝７１１内に生じた撓みｒが各微細溝７１１のエッジ７１１１に係合することにより、熱膨張による各接続端子４１１の位置ずれが阻止される。すなわち、各微細溝７１１がフレキシブル配線基板４の接続端子列部の伸びに対し抵抗として作用する。
【００３４】
このようにして、押圧ヘッド７により加熱押圧されるフレキシブル配線基板４の接続端子列部は、各微細溝７１１の撓み吸収効果により熱膨張による全体の伸びが抑制されるとともに、そのブレーキ効果により各接続端子４１１の位置ずれが防止され、その結果、フレキシブル配線基板４側の接続端子４１１と液晶表示パネル１側の対応する接続端子１５１とが間に複数個の導電性粒子５２を確実に挟持するとともに、接続端子１５１上に対応する接続端子４１１全体が重なった所期の導通接続状態が、安定して得られる。
【００３５】
なお、押圧ヘッド７により加熱押圧されるフレキシブル配線基板４の接続端子列部のうちの微細溝７１１に対応する部分は、押圧力が加わらないために導電性粒子５２を充分に挟圧することができず、そのために確実な導通接続が得られない虞があるが、本実施形態の微細溝７１１は、その交差角度θａと幅ｗg が上記（１）式、及び（２）式のように設定されているから、各接続端子４１１全体が微細溝７１１に重なることはなく、全ての接続端子４１１が略均等に好適な割合で微細溝７１１に重なる配置となる。その結果、全ての接続端子４１１が対応する液晶表示パネル１側の接続端子１７１に常に確実に導通接続される。
【００３６】
上記交差角度θa については、この角度θa を大きくする程、フレキシブル配線基板４の接続端子列部における端子アレイ方向Ｘt に沿った伸びに対する抑制効果が大きくなる。従って、導通不良の主な原因となるのは端子アレイ方向Ｘt に沿った伸びであり、導通不良を防止するにはそのアレイ方向Ｘt に沿った伸びを抑制するために上記交差角度θa を大きくすることがより有効であるが、交差角度θa を大きくし過ぎると、微細溝７１１が接続端子４１１に重なる割合が各接続端子４１１毎に不均一となり、押圧不足により導通不良となる接続端子４１１が発生する虞がある。したがって、交差角度θa は上記（１）式で示される範囲に設定されることがより好ましい。
【００３７】
また、この押圧ヘッド７による熱圧着工程においては、異方性導電接着材５が加熱されて軟化するとともに加圧されることにより大きく延伸される。この場合、図２（ｂ）に示されるように、異方性導電接着材５は作業性向上の面からその長さＬa がフレキシブル配線基板４の接続端子列の長さＬ1 よりも充分に大きく設定され、熱圧着前のセット状態においてその両端部がフレキシブル配線基板４の両側部から出ているため、加熱押圧されることによりがその突き出た部分が軟化し膨張して大きく食み出し、押圧ヘッド７の圧接面７１に接触する。しかし、本実施形態においては、その圧接面７１に樹脂接着材に対する離型性を備えたオーバコート層８が被着されているため、食み出した異方性導電接着材５の固着が防止される。
【００３８】
以上のように、本実施形態の熱圧着装置によれば、押圧ヘッド７の圧接面７１に、その長さ方向Ｘh に対し互いに補角の関係にある互いに異なる角度θa 、θb で斜めに交差する２種類の直線に延在する微細溝７１１ａ、７１１ｂを、それぞれ複数個づつ同一ピッチｐg で平行に配設し、この圧接面７１を熱圧着すべきフレキシブル配線基板４の接続端子列部裏面に直に当接させるから、加熱しつつ加圧することにより発生するフレキシブル配線基板４の接続端子列部の伸びとこれに基づく接続端子４１１の位置ずれを有効に抑制することができる。その結果、液晶表示パネル１とこれに導通接合されるフレキシブル配線基板４の各接続端子間ピッチがファイン化されているにも拘わらず、ファインピッチ配列された接続端子同士が正確且つ確実に導通接続された信頼性の高い高精細液晶表示モジュールを、少ない工数で容易に製造することができる。
【００３９】
また、押圧ヘッド７の先端面７１に樹脂接着材に対する離型性を備えたオーバコート層８を被着したから、先端面７１をフレキシブル配線基板４に直に圧接させても、加熱押圧されてフレキシブル配線基板４の側部から食み出した異方性導電接着材５の先端面７１への固着が確実に防止され、熱圧着工程の作業性が向上する。
【００４０】
次に、上記実施形態の変形例について、図５（ａ）、（ｂ）に基づき説明する。図５（ａ）、（ｂ）は、それぞれ、上記実施形態における押圧ヘッド７の先端面７１の変形例を示した平面図である。
【００４１】
図５（ａ）に示された押圧ヘッド９の先端面９１には、微細溝９１１が正六角形を長さ方向Ｘh 及び幅方向Ｙh にそれぞれ一定ピッチｐg1、ｐg2で並設したハニカム模様に形成されている。この場合、微細溝９１１は、その幅ｗg が上記実施形態における（２）式を満たす大きさでどの部分においても一定となるように形成されている。なお、本変形例の微細溝９１１には圧接面９１の幅方向Ｙh に平行な部分も存在するが、それら平行な部分のヘッド幅Ｗh に対する割合は半分以下であるから、押圧不足による端子間の導通不良を引き起こす虞はなく、且つ、それら平行部分によりフレキシブル配線基板の加熱押圧される接続端子列部における長さ方向Ｘへの伸びがより顕著に抑制される。
【００４２】
図５（ｂ）に示された押圧ヘッド１０は、その先端面１０１に、円環をなす微細溝１０１１が長さ方向Ｘh 及び幅方向Ｙh にそれぞれ一定ピッチｐg1、ｐg2で並設されたものである。これら微細溝１０１１の幅ｗg は、上記実施形態における（２）式を満たす寸法に設定されている。このような微細溝１０１１が先端面１０１に形成された本変形例の押圧ヘッド１０によれば、フレキシブル配線基板の加熱押圧される接続端子列部における伸びが、長さ方向Ｘh 及び幅方向Ｙh の双方向において略均等に抑制される。
【００４３】
なお、本発明は、上記の実施形態に限定されるものではない。
例えば、上記実施形態及びその変形例においては、押圧ヘッド先端面に設ける微細溝をその長さ方向Ｘh に対して均等なピッチで配設し、加熱押圧する接続端子列部の端子アレイ方向Ｘにおける伸びを均等に抑制する構成としたが、これに限らず、接続端子の並設ピッチや端子幅等の端子配置構成が均等でない場合は、それら端子配置構成に応じて微細溝の配設ピッチを導通接続不良が発生し難い最適なピッチに変えることが望ましい。
【００４４】
また、ヘッド先端面７１１に被着したオーバコート層８は、異方性導電接着材５が加熱押圧押圧されてもフレキシブル配線基板４の両側部から食み出さないか若しくは食み出してもヘッド先端面７１に付着しない程度に抑えられるように、その長さＬa を最適設定すれば省略することも可能である。
【００４５】
加えて、本発明のフレキシブル配線基板の熱圧着装置は、液晶表示モジュールにおけるフレキシブル配線基板の熱圧着接合に限らず、有機ＥＬ表示モジュール等の他の種々の画像表示モジュールにおけるフレキシブル配線基板の熱圧着接合にも有効に適用されることは、勿論である。
【図面の簡単な説明】
【００４６】
【図１】本発明の一実施形態としての熱圧着装置により製造される液晶表示モジュールを示す斜視図である。
【図２】（ａ）は上記熱圧着装置によるフレキシブル配線基板の熱圧着工程を示す側面図で、（ｂ）はその熱圧着接合部を拡大して示す平面図である。
【図３】（ａ）は上記熱圧着装置における押圧ヘッド先端面を示す平面図で、（ｂ）はその押圧ヘッドによる熱圧着状態を拡大して示した模式的断面図である。
【図４】上記熱圧着工程における作用を示す図３（ｂ）のＱ部拡大断面図である。
【図５】（ａ）、（ｂ）はそれぞれ上記実施形態の変形例としての押圧ヘッドの先端面を示した平面図である。
【符号の説明】
【００４７】
１                        液晶表示パネル
１１、１２                ガラス基板
１４ａ、１４ｂ            リード配線
１５                      入力配線
１５１                    接続端子（液晶表示パネル側）
２                        ドライバチップ
３、５                    異方性導電接着材
４                        フレキシブル配線基板
４１                      配線
４１１                    接続端子（フレキシブル配線基板側）
６                        作業台
７、９、１０              押圧ヘッド
７１、９１、１０１        先端面
７１１、９１１、１０１１  微細溝
８                        オーバコート層
【図１】
2007142071.tif 000003
【図２】
2007142071.tif 000004
【図３】
2007142071.tif 000005
【図４】
2007142071.tif 000006
【図５】
2007142071.tif 000007